(57)【要約】【課題】工具を収納する引出しを備えた工具棚において、引出しの操作性の悪化を抑制する。【解決手段】工具を収納する収納部３１を有する引出し３０を備え、引出し３０は、引出本体３２が引き出される側を前側として、引出本体３２の前壁部３２１の左側端部及び右側端部に設けられかつ引出本体３２を引き出し操作する際にユーザーが指をかける把手部３２６，３２７とを有し、各把手部３２６，３２７は、前壁部３２１よりも前側に突出する前側突部３２６ａ，３２７ａと、該前側突部３２６ａ，３２７ａから、左側把手部３２６は左側に、右側把手部３２７は右側にそれぞれ延びかつ上記ユーザーが指をかける指かけ部３２６ｂ，３２７ｂとを有する。【選択図】図６
2020023017.tif 000002
【特許請求の範囲】
【請求項１】
工具を収納するための工具棚であって、
工具を収納する収納部を有する引出しと、
上記引出しが収容され、該引出しを支持するための筐体とを備え、
上記引出しは、上方が開放された箱体をなしかつ上記収納部を構成する引出本体と、該引出本体が引き出される側を前側として、上記引出本体の前壁部の左側端部及び右側端部に設けられかつ上記引出本体を引き出し操作する際にユーザーが指をかける把手部とを有し、
上記各把手部は、上記前壁部よりも上記前側に突出する前側突部と、該前側突部から、左側の把手部は左側に、右側の把手部は右側にそれぞれ延びかつ上記ユーザーが指をかける指かけ部とを有し、
上記指かけ部と上記筐体の前側の端部との間には、上記ユーザーが指を挿入する指入れ空間が形成されていることを特徴とする工具棚。
【請求項２】
請求項１に記載の工具棚において、
上記各把手部は、前側から見て、上記筐体と重複するように構成されており、
上記筐体の前側の端部であって、上記筐体における上記各把手部の後側に位置する部分は、上記指入れ空間が広くなるように、後側に向かってそれぞれ凹んでいることを特徴とする工具棚。
【請求項３】
請求項２に記載の工具棚において、
上記筐体は、複数のフレームで構成されたフレームユニットであり、
上記フレームユニットは、
互いに平行に上下方向に延び、コーナー部分に位置する４つのコーナーフレームと、
左右方向に相隣接する上記コーナーフレーム同士を、上側同士及び下側同士でそれぞれ連結するように左右方向に延びる二対の第１の連結フレームと、
前後方向に相隣接する上記コーナーフレーム同士を、上側同士及び下側同士でそれぞれ連結するように前後方向に延びる二対の第２の連結フレームと、
を有し、
上記各把手部は、前側から見て、上記コーナーフレームと重複するように構成されており、
上記各コーナーフレームうち前側に位置する２つのコーナーフレームは、上記フレームユニットにおける、上記引出本体が押し込まれた状態で該引出本体の上記収納部が位置する側を内側として、後側に向かってそれぞれ凹むように、外側に開放されたＬ字状の横断面をそれぞれ有することを特徴とする工具棚。
【請求項４】
請求項１〜３のいずれか１つに記載の工具棚において、
上記引出しは、上記引出本体を前後方向にスライド可能に案内しかつ該引出本体が載置されるアンダーレールを更に備えることを特徴とする工具棚。
【発明の詳細な説明】
【技術分野】
【０００１】
本発明は、工具棚に関する技術分野に属する。
【背景技術】
【０００２】
従来より、工具を収納可能な引出しを有する工具棚において、把手が左右に設けられたものが知られている。
【０００３】
例えば、特許文献１には、ワゴン（工具棚）の引出しの正面板（前壁部）の側端部の背面側に上下方向のラッチ軸により枢支されるとともに、ワゴンに係脱可能な係合部を有するラッチと、正面板の側端部の背面側に上下方向のレバー軸により枢支されるとともに、外側端部に上下方向に長寸の把手部を有する操作レバーと、該操作レバーの回動をラッチに伝達可能な伝達手段とを備え、把手部の前方への回動操作に基づいて、伝達手段を介して前記ラッチを解除作動させるようにした引出しであって、操作レバーの把手部と前記レバー軸との間に開口部を設け、ラッチを開口部内に位置するように配置した引出しを有するワゴンが開示されている。この特許文献１では、引出しを操作する際にユーザーが指をかける部分が、引出しの正面板の左側部分及び右側部分の後側にそれぞれ設けられており、ワゴンの左側及び右側からラッチを解除可能であるとともに、ワゴンの左側及び右側からことが引出しを操作できるようになっている。
【先行技術文献】
【特許文献】
【０００４】
【特許文献１】特開２００６−２９１５７３号公報
【発明の概要】
【発明が解決しようとする課題】
【０００５】
ところで、ユーザーが工具棚から工具を取り出すために、引出しを操作しようとするときには、ユーザーは工具棚の前側ではなく左側又は右側に位置していることがある。工具を収納する引出し付きの工具棚では、一般的に、引出しを操作するための把手は前壁部の下側の部分に設けられている。把手が前壁部の下側の部分に設けられていると、ユーザーが工具棚の左側又は右側に位置しているときには、引出しを操作しにくく、操作性が悪化してしまう。このため、引出しに収納された工具を取り出す際には、ユーザーは、一旦、引出しの前側に立ち直す必要があり、作業効率が悪化してしまう。
【０００６】
これに対して、特許文献１に記載の工具棚では、ワゴンの左側及び右側から引出しを操作することができるようになっており、ユーザーが工具棚の左側又は右側に位置しているときであっても、該ユーザーは工具棚の前側に立ち直すことなく、引出しから工具を取り出すことができる。しかしながら、特許文献１に記載の工具棚では、引出しを操作する際にユーザーが指をかける部分が引出しの前壁部の後側に設けられている。このため、ユーザーが工具棚に対して左斜め前に位置したときなど、ユーザーが工具棚に対して前側寄りに位置しているときには、把手部が目視しにくく、ユーザーは把手部を探る必要がある。つまり、ユーザーが工具棚の前側に位置しているときの引出しの操作性が悪化するおそれがある。このように、単に、把手を左右に設けるだけでは、引出しの操作性の悪化を免れることができない。
【０００７】
本発明は、斯かる点に鑑みてなされたものであり、その目的とするところは、工具を収納する引出しを備えた工具棚において、引出しの操作性を向上させることにある。
【課題を解決するための手段】
【０００８】
上記課題を解決するために、本発明は、工具を収納するための工具棚を対象として、工具を収納する収納部を有する引出しと、上記引出しが収容され、該引出しを支持するための筐体とを備え、上記引出しは、上方が開放された箱体をなしかつ上記収納部を構成する引出本体と、該引出本体が引き出される側を前側として、上記引出本体の前壁部の左側端部及び右側端部に設けられかつ上記引出本体を引き出し操作する際にユーザーが指をかける把手部を有し、上記各把手部は、上記前壁部よりも上記前側に突出する前側突部と、該前側突部から、左側の把手部は左側に、右側の把手部は右側にそれぞれ延びかつ上記ユーザーが指をかける指かけ部とを有し、上記指かけ部と上記筐体の前側の端部との間には、上記ユーザーが指を挿入する指入れ空間が形成されている、という構成とした。
【０００９】
この構成によると、把手部が引出本体の前壁部の左側端部及び右側端部にそれぞれ設けられているため、ユーザーが工具棚の左側又は右側に位置しているときであっても、該ユーザーは工具棚の前側に立ち直すことなく、引出しから工具を取り出すことができる。また、各把手部は前壁部よりも前側に突出しているため、ユーザーが工具棚に対して前側寄りに位置しているときであっても、該ユーザーは把手部の位置を容易に見つけることができる。これにより、引出しの操作性を向上させることができる。
【００１０】
上記工具棚において、上記各把手部は、前側から見て、上記筐体と重複するように構成されており、上記筐体の前側の端部であって、上記筐体における上記各把手部の後側に位置する部分は、上記指入れ空間が広くなるように、後側に向かってそれぞれ凹んでいてもよい。
【００１１】
この構成によると、指入れ空間が広くなるため、ユーザーが引き出し操作をしやすくなり、引出しの操作性をより向上させることができる。
【００１２】
筐体の前側の端部が後側に凹んだ上記工具棚において、上記筐体は、複数のフレームで構成されたフレームユニットであり、上記フレームユニットは、互いに平行に上下方向に延び、コーナー部分に位置する４つのコーナーフレームと、左右方向に相隣接する上記コーナーフレーム同士を、上側同士及び下側同士でそれぞれ連結するように左右方向に延びる二対の第１の連結フレームと、前後方向に相隣接する上記コーナーフレーム同士を、上側同士及び下側同士でそれぞれ連結するように前後方向に延びる二対の第２の連結フレームと、を有し、上記各把手部は、前側から見て、上記コーナーフレームと部分的に重複するように構成されており、上記各コーナーフレームうち前側に位置する２つのコーナーフレームは、上記フレームユニットにおける、上記引出本体が押し込まれた状態で該引出本体の上記収納部が位置する側を内側として、後側に向かってそれぞれ凹むように、外側に開放されたＬ字状の横断面をそれぞれ有していてもよい。
【００１３】
この構成によると、コーナーフレームが、ユーザーの指を指入れ空間に案内するガイドになるとともに、ユーザーが引き出し操作をする際のガイドになる。これにより、引出しの操作性を一層向上させることができる。
【００１４】
上記工具棚において、上記引出しは、上記引出本体を前後方向にスライド可能に案内しかつ該引出本体が載置されるアンダーレールとを更に備えていてもよい。
【００１５】
すなわち、例えば、左側の把手部を掴んで引出本体を引き出そうとしたときには、引出本体にかかる力の向きは、僅かに右側を向く。このため、仮に、引出本体を前後方向にスライド可能に案内するレールが、引出本体の左側及び右側の側壁部に設けられていると、片側の把手部のみを掴んで引出本体を引き出そうとした際に、上記レールがこじれて、引き出し操作ができなくなるおそれがある。これに対して、引出本体を前後方向にスライド可能に案内するレールを、引出本体が載置されるアンダーレールとすることで、片側の把手部のみを掴んで引出本体を引き出す際にこじれる可能性が低い。このため、引出しの操作性をより一層向上させることができる。
【発明の効果】
【００１６】
以上説明したように、本発明に係る工具棚によると、把手部が引出本体の前壁部の左側端部及び右側端部にそれぞれ設けられており、各把手部は前壁部よりも前側に突出しているため、ユーザーが工具棚の左側又は右側に位置しているとき、及び、ユーザーが工具棚に対して前側寄りに位置しているときであっても、ユーザーは把手部の位置をすぐに見つけて、引き出し操作を行うことができる。これにより、工具を収納する引出しを備えた工具棚において、引出しの操作性を向上させることができる。
【図面の簡単な説明】
【００１７】
【図１】本発明の実施形態１に係る工具棚の構成を示す分解斜視図である。
【図２】フレームユニットの平面図である。
【図３】フレームユニットの側面図である。
【図４】図３のIV-IV線相当の断面図である。
【図５】工具棚の正面図であって、引出本体が押し込まれた状態を示す。
【図６】図５のVI-VI線相当の断面図である。
【図７】引出しの左側の把手部周辺の拡大断面図である。
【図８】左側の引出用フレームをウェルドナットの位置で切断した横断面図である。
【図９】引出しのロック機構と引出本体との位置関係を示す側面図である。
【図１０】実施形態２に係る工具棚の構成を示す分解斜視図である。
【図１１】実施形態２に係る工具棚の正面図であって、引出本体が押し込まれた状態を示す。
【図１２】図１１のXII-XII線相当の断面図である。
【発明を実施するための形態】
【００１８】
以下、本発明の実施形態を図面に基づいて詳細に説明する。
【００１９】
（実施形態１）
図１は、実施形態１に係る工具棚１の棚ユニット１００の１つ分の構成を示す。この工具棚１は、筐体としてのフレームユニット１０に工具を収納するため収納部３１を有する引出し３０を取り付けた状態で使用される。上記棚ユニット１００は、１つのフレームユニット１０に引出し３０を取り付けて構成されたもののことを意味する。以下の説明では、引出し３０の収納部３１を構成する引出本体３２が引き出される側を前側といい、引出本体３２が押し込まれる側を後側という。また、後側から前側を見たときの左側を左側といい、右側を右側という。
【００２０】
工具棚１は、１つの棚ユニット１００で使用可能であり、複数の棚ユニット１００を上下方向、左右方向及び前後方向に並べて使用することもできる。複数の棚ユニット１００を上下方向、左右方向及び前後方向に並べて使用する場合には、隣接するフレームユニット１０同士が連結される。
【００２１】
〈フレームユニットの構成〉
フレームユニット１０は、図１に示すように、複数の金属製のフレームが、直方体のような形状をなすように配置されている。各フレームは、互いに一体的に接合されて構成されている。各フレームは、それぞれ中空になっている。
【００２２】
フレームユニット１０は、互いに平行に上下方向に延びかつコーナー部分に位置する４つのコーナーフレーム１１を有する。本実施形態１では、図２に示すように、上下方向から見て、コーナーフレーム１１は、四角形の各頂点、詳しくは、長方形の各頂点に位置するように配設されている。
【００２３】
フレームユニット１０は、図１及び図２に示すように、左右方向に相隣接するコーナーフレーム１１同士を、上側同士及び下側同士でそれぞれ連結するように延びる二対の第１の連結フレーム１２を有する。フレームユニット１０は、図１及び図３に示すように、前後方向に相隣接するコーナーフレーム１１同士を、上側同士及び下側同士でそれぞれ連結するように延びる二対の第２の連結フレーム１３を有する。
【００２４】
各コーナーフレーム１１は、図４、図６及び図７に示すように、横断面がＬ字状をなしている。具体的には、図６に示すように、引出本体３２が押し込まれた状態で該引出本体３２の収納部３１が位置する側を内側として、外側に向かって開放されたＬ字状をなしている。より詳しくは、図４、図６及び図７に示すように、前側に位置する２つのコーナーフレーム１１は、前後方向かつ上下方向に延びる側面部と、該側面部の後側端部から、左側のコーナーフレーム１１では左側に、右側のコーナーフレーム１１では右側に向かって延びる後面部とを有している。また、図６に示すように、後側に位置する２つのコーナーフレーム１１は、前後方向かつ上下方向に延びる側面部と、該側面部の前側端部から、左側のコーナーフレーム１１では左側に、右側のコーナーフレーム１１では右側に向かって延びる前面部とを有している。尚、図４及び図７では、左前側のコーナーフレームのみを示している。
【００２５】
各コーナーフレーム１１のＬ字の開放側でかつ上下方向の両側の端部には、図１〜図４に示すように、複数のフレームユニット１０同士を連結固定するための連結固定部１７がそれぞれ設けられている。各連結固定部１７は、図２に示すように、Ｌ字の部分を直交する２辺とする正方形状をなしている。各連結固定部１７には、ボルト等の締結部材が挿通される挿通孔１７ａがそれぞれ形成されている。
【００２６】
各第１の連結フレーム１２は、図１に示すように、左右方向の端部が、コーナーフレーム１１の上下方向の端部にそれぞれ結合されている。各第１の連結フレーム１２は、図１及び図２に示すように、それぞれ、左右方向の中間部分が、左右方向の両側の端部よりも、前後方向の中央寄りに位置している。具体的には、相対的に前側に位置する第１の連結フレーム１２は、左右方向の中間部分が、左右方向の両側の端部よりも後側に位置しかつ左右方向に真っ直ぐに伸びている一方、相対的に後側に位置する第１の連結フレーム１２は、左右方向の中間部分が、左右方向の両側の端部よりも前側に位置しかつ左右方向に真っ直ぐに延びている。これにより、各第１の連結フレーム１２を、前後方向に対向する２つの第１の連結フレーム１２で構成される二組の第１の連結フレーム群１２０に分けたときに、該各第１の連結フレーム群１２０を構成する２つの第１の連結フレーム１２は、コーナーフレーム１１よりも前後方向の中央寄りに位置しかつ左右方向に沿って平行に延びる第１の平行部１２ａをそれぞれ有するようになる。
【００２７】
また、各第１の連結フレーム群１２０を構成する２つの第１の連結フレーム１２は、図１及び図２に示すように、第１の平行部１２ａにおける左右方向の両側の端部から、互いに離間するように近い側のコーナーフレーム１１に向かって傾斜して延びる第１の傾斜部１２ｂをそれぞれ有している。より具体的には、相対的に前側に位置する第１の連結フレーム１２については、左側に位置する第１の傾斜部１２ｂは左側に向かって前側に傾斜する一方、右側に位置する第１の傾斜部１２ｂは右側に向かって前側に傾斜している。一方で、相対的に後側に位置する第１の連結フレーム１２については、左側に位置する第１の傾斜部１２ｂは左側に向かって後側に傾斜する一方、右側に位置する第１の傾斜部１２ｂは右側に向かって後側に傾斜している。
【００２８】
第１の平行部１２ａと第１傾斜部１２ｂとの接続部分には、各第１の連結フレーム群１２０を構成する２つの第１の連結フレーム１２を、左側同士及び右側同士で前後方向にそれぞれ連結する第１の補強フレーム１４がそれぞれ設けられている。
【００２９】
第１の平行部１２ａには、複数の孔４２が等間隔に並んで設けられている。この孔４２は、本実施形態１では、後述する天板３５を取り付けるボルト（図示省略）が挿通する孔である。
【００３０】
各第２の連結フレーム１３は、図１及び図３に示すように、前後方向の端部が、コーナーフレーム１１における上下方向の端部よりも上下方向の中央寄りの部分にそれぞれ結合されている。各第２の連結フレーム１３は、図１及び図３に示すように、それぞれ、前後方向の中央部分が、前後方向の両側の端部よりも上下方向の中央寄りに位置している。具体的には、図３に示すように、相対的に上側に位置する第２の連結フレーム１３は、前後方向の中央部分が、前後方向の両側の端部よりも下側に位置する一方、相対的に下側に位置する第２の連結フレーム１３は、前後方向の中央部分が、前後方向の両側の端部よりも上側に位置する。これにより、各第２の連結フレーム１３を、上下方向に対向する２つの第２の連結フレーム１３で構成される二組の第１の連結フレーム群１３０に分けたときに、該各第２の連結フレーム群１３０を構成する２つの第１の連結フレーム１３は、前後方向の中央部１３ａが、前後方向の端部よりも互いに接近するようになる。
【００３１】
また、各第２の連結フレーム群１３０を構成する２つの第１の連結フレーム１３は、上記中央部１３ａから前側及び後側に向かって互いに離れるように上側及び下側に傾斜して延びる第２の傾斜部１３ｂをそれぞれ有している。より具体的には、相対的に上側に位置する第２の連結フレーム１３については、前側に位置する第２の傾斜部１３ｂは前側に向かって上側に傾斜する一方、後側に位置する第２の傾斜部１３ｂは後側に向かって上側に傾斜している。一方で、相対的に下側に位置する第２の連結フレーム１３については、前側に位置する第２の傾斜部１３ｂは前側に向かって下側に傾斜する一方、後側に位置する第２の傾斜部１３ｂは後側に向かって下側に傾斜している。
【００３２】
上下に対向する中央部１３ａには、各第２の連結フレーム群１３０を構成する２つの第２の連結フレーム１３を上下方向にそれぞれ連結する第２の補強フレーム１５がそれぞれ設けられている。
【００３３】
各第２の連結フレーム群１３０を構成する２つの第２の連結フレーム１３は、図３に示すように、第２の傾斜部１３ｂの中央部とは反対側の端部から、すなわち、前側の第２の傾斜部１３ｂは前側の端部から、後側の第２の傾斜部１３ｂは後側の端部からそれぞれ近い側のコーナーフレーム１１に向かって前後方向に沿って平行に延びる第２の平行部１３ｃをそれぞれ有している。第２の平行部１３ｃは、前側同士及び後側同士で、支持フレーム１６によりそれぞれ上下方向に連結されている。支持フレーム１６は、図１及び図５に示すように、引出し３０を、収納部３１に工具を収納可能状態で支持するためのフレームである。支持フレーム１６には、複数（本実施形態では５個）の支持部４１がそれぞれ設けられている。支持部４１は、上下方向に等間隔に並んでいる。本実施形態では、支持部４１は、ボルトが挿通される挿通孔として構成されている。
【００３４】
支持部４１を構成する挿通孔は、図６に示すように、上記外側の孔の径が、上記内側の孔の径よりも大きくなるように設定されている。具体的には、上記内側の孔の径は、支持部４１に挿通されるボルト（後述するボルト５０）の軸部よりも大きくかつ頭部よりも小さい径である一方、上記外側の孔の径は、上記ボルトの頭部よりも大きい径である。
【００３５】
フレームユニット１０の上側の部分には、引出し３０の引出本体３２が引き込まれた状態で、最も上側に位置する引出本体３２の収納部３１の内部が上方から見えないようにするための天板３５が取り付けられている。
【００３６】
〈引出しの構成〉
引出し３０は、収納部３１を有する引出本体３２と、左右の支持フレーム１６にそれぞれ取り付けられる左右一対の引出用フレーム３３と、側板の後側に溶接等により接合される背面板３４と、左右の引出用フレーム３３の下端部にそれぞれ固定されかつ引出本体３２を下側から支持するアンダーレール３６とを有する。また、左側の引出用フレーム３３には、引出本体３２の前後方向のスライド動作を禁止するためのロック機構３７が設けられている。また、図示は省略しているが、引出本体３２の底面には、アンダーレール３６と係合して引出本体３２をスライドさせるためのクリップが設けられている。
【００３７】
引出本体３２は、図１に示すように、上方が開放された箱状をなしている。引出本体３２は、図６に示すように、前壁部３２１と、該前壁部３２１と対向して後側に設けられた後壁部３２２と、前壁部３２１と後壁部３２２とを左側端部同士及び右側端部同士でそれぞれ上下方向に連結させる側壁部３２３と、引出本体３２の底を形成する底壁部とを有している。各壁部は互いに溶接により接合されている。また、側壁部３２３の前側端部には、図６に示すように、左側の側壁部３２３の内面と右側の側壁部３２３の内面とを連結する補強部材３２５が設けられている。補強部材３２５は、引出本体３２が変形しないように補強するための部材である。収納部３１は、補強部材３２５と、左右の側壁部３２３と、後壁部３２２と、上記底壁部によって形成されている。
【００３８】
側壁部３２３は、上側の略半部分の上部側壁部３２３ａ（図９参照）が下側の半部分の下部側壁部３２３ｂ（図９参照）と比べて外側に位置しており、上部側壁部３２３ａと下部側壁部３２３ｂとの間には、段差部３２３ｃが形成されている。詳しくは後述するが、左側の側壁部３２３の段差部３２３ｃの前側部分には、ロック機構３７の爪部材３７２が挿入されるロック用係合孔３２３ｄが設けられている。
【００３９】
引出本体３２の前壁部３２１の左側端部及び右側端部には、引出本体３２を引き出し操作する際にユーザーが指Ｆをかける左側及び右側把手部３２６，３２７がそれぞれ設けられている。左側及び右側把手部３２６，３２７は、前壁部３２１よりも前側に突出する前側突部３２６ａ，３２７ａと、該前側突部３２６ａ，３２７ａから、左側把手部３２６では左側に、右側把手部３２７では右側にそれぞれ延びかつユーザーが指Ｆをかける指かけ部３２６ｂ，３２６ｂとを有する。
【００４０】
左側把手部３２６の前側突部３２６ａは、図６及び図７に示すように、前側に向かって、左側に傾斜して延びている。左側把手部３２６の指かけ部３２６ｂは、前側突部３２６ａの前側の端部から左側に向かって延びている。指かけ部３２６ｂの左側の端部は、左前側のコーナーフレーム１１の側面部よりも左側まで延びている。指かけ部３２６ｂの左側の端部は、左側把手部３２６を構成する金属板を右側に向かって折り返えされている。前側突部３２６ａの後側端部からは右側に向かって溶接部３２６ｃが延びており、該溶接部３２６ｃは前壁部３２１の後側の面に溶接により接合されている。
【００４１】
一方、右側把手部３２７は、図６に示すように、左側把手部３２６と左右対称な構成となっている。具体的には、右側把手部３２７の前側突部３２７ａは、前側に向かって、右側に傾斜して延びており、右側把手部３２７の指かけ部３２７ｂは、該前側突部３２７ａの前側の端部から右側に向かって延びている。指かけ部３２７ｂの右側の端部は、右前側のコーナーフレーム１１の側面部よりも右側まで延びている。指かけ部３２７ｂの右側の端部は、右側把手部３２７を構成する金属板を右側に向かって折り返えされている。前側突部３２７ａの後側端部からは左側に向かって溶接部３２７ｃが延びており、該溶接部３２７ｃは前壁部３２１の後側の面に溶接により接合されている。
【００４２】
左側及び右側把手部３２６，３２７が、上記のように構成されているため、図５に示すように、工具棚１（棚ユニット１００）を前側から見たときには、左側及び右側把手部３２６，３２７が、フレームユニット１０、詳しくは、コーナーフレーム１１と重複するようになる。これにより、図６及び図７に示すように、左側及び右側把手部３２６，３２７とフレームユニット１０の前側端部との間、詳しくは、左側及び右側把手部３２６，３２７とコーナーフレーム１１との間には、引出本体３２を引き出し操作する際にユーザーが指Ｆを挿入する指入れ空間３２８が形成される。
【００４３】
左右の引出用フレーム３３は、それぞれ、２つの金属パネルを接合させて構成されている。具体的に左側の引出用フレーム３３について説明すると、図８に示すように、引出用フレーム３３は、相対的に上記外側（左側）に位置する外側パネル３３ａと、該外側パネル３３ａの上記内側（右側）の面における上下方向の中間に位置し、前後方向に延びる内側パネル３３ｂとを有している。内側パネル３３ｂは、上記外側に向かって開放された断面Ｕ字状をなしており、外側パネル３３ａと内側パネル３３ｂとで閉断面空間を形成している。
【００４４】
外側パネル３３ａには、支持部４１に対応する部分に孔３３ｃ（図１参照）が形成されており、外側パネル３３ａの内面には、上記孔３３ｃに対応する位置にウェルドナット３３ｄがそれぞれ設けられている。外側パネル３３ａの後側の部分は、図６に示すように、前側に向かってＵ字状に折り返されている。背面板３４は、該折り返えされた部分の内側面に接するように取り付けられている。
【００４５】
内側パネル３３ｂには、図８に示すように、アンダーレール３６のアウターレール３６ａを取付固定するためのボルト孔が設けられている。このボルト孔には、ボルト５１が締結され、これにより、アンダーレール３６が引出用フレーム３３に取付固定されるようになっている。
【００４６】
アンダーレール３６のアウターレール３６ａには、インナーレール３６ｂが係合している。引出本体３２に設けられた上記クリップが、インナーレール３６ｂに取り付けられることで、引出本体３２がアンダーレール３６に取り付けられる。インナーレール３６ｂは、アウターレール３６ａに対して相対的にスライド移動可能になっている。インナーレール３６ｂがアウターレール３６ａに対してスライドすることで、引出本体３２が引き出し操作又は押し込み操作される。
【００４７】
引出し３０をフレームユニット１０に取り付ける際には、まず、左右の引出用フレーム３３をそれぞれボルト孔３３ａと支持部４１とが対応するように、フレームユニット１０の上記内側に配置して、外側からボルト５０を締結することで各側板３２ｂが支持部４１にそれぞれ支持される。次に、背面板３４を引出用フレーム３３の後側端部に取り付ける。そして、引出本体３２をアンダーレール３６に載置させて、引出本体３２に設けられた上記クリップとアンダーレール３６とを係合させる。これにより、引出本体３２は、フレームユニット１０に支持されるとともに、アンダーレール３６によりスライド可能なる。以上により、引出し３０がフレームユニット１０に取り付けられる。
【００４８】
ウェルドナット３３ｄが上記閉断面空間内に位置することにより、引出用フレーム３３をフレームユニット１０に取り付けたときには、ボルト５０の先端がフレームユニット１０の上記内側の領域に突出しない。このため、ボルト５０が引出本体３２の引き出し操作を邪魔することがないため、引出本体３２の引き出し操作を円滑にすることができる。
【００４９】
ロック機構３７は、図７に示すように、引出用フレーム３３の外側パネル３３ａの外側に位置するつまみ３７１と、つまみ３７１と連動して回動しかつ引出本体３２のスライド移動を禁止するための爪部材３７２と、つまみ３７１と爪部材３７２とを連結する連結部材３７３とを有する。外側パネル３３ａには、連結部材３７３が貫通する貫通孔が設けられている。連結部材３７３は、該貫通孔よりも径の小さい小径部３７３ａと、該貫通孔よりも径の大きい大径部３７３ｂとを有する。連結部材３７３は、外側から（本実施形態１では左側から）上記貫通孔に挿し込まれており、小径部３７３ａが上記貫通孔を貫通し、大径部３７３ｂが外側パネル３３ａに引っ掛かることで、外側パネル３３ａに取り付けられている。つまみ３７１は、図７に示すように、連結部材３７３の大径部３７３ｂに取り付けられている。爪部材３７２は、図９に示すように、Ｌ字状をなしている。一端部は連結部材３７３の小径部３７３ａの先端に取付固定される固定部３７２ａであり、他端部は、引出本体３２のロック用係合孔３２３ｄに係合する係合部３７２ｂである。
【００５０】
図９に実線で示すように（係合部３７２ｂの先端のみ点線で示す）、ロック機構３７が引出本体３２のスライド移動を禁止した移動禁止状態では、係合部３７２ｂがロック用係合孔３２３ｄ内に挿入される。これにより、引出本体３２がスライドしようとしても、爪部材３７２の係合部３７２ｂに引っ掛かるため、引出本体３２のスライド移動が禁止される。一方で、移動禁止状態からつまみ３７１を回動（ここでは、反時計周りに回動）させると、図９に一点鎖線で示すように、係合部３７２ｂとロック用係合孔３２３ｄとの係合が解除される。これにより、引出本体３２がスライド移動可能な状態となる。
【００５１】
ここで、ユーザーが工具棚１から工具を取り出すために、引出し３０から引出本体３２を引き出そうとするときには、ユーザーは必ずしも工具棚１の前側に位置しているとは限らない。従来の引出し付きの工具棚では、引出本体を引き出し操作するための把手が前壁部の下側に付いていた。このような構成では、ユーザーは、一旦、工具棚の前側まで移動してからでないと、引出本体を引き出すことができず、引出しの操作性が低かった。
【００５２】
これに対して、本実施形態１では、把手部３２６，３２７が引出本体３２の前壁部３２１の左側端部及び右側端部にそれぞれ設けられているため、ユーザーが工具棚１の左側又は右側に位置しているときであっても、該ユーザーは工具棚１の前側に立ち直すことなく、引出し３０から引出本体３２を引き出して、収納部３１内の工具を取り出すことができる。また、各把手部３２６，３２７は前壁部３２１よりも前側に突出しているため、ユーザーが工具棚１に対して前側寄りに位置しているときであっても、該ユーザーは把手部３２６，３２７の位置をすぐに見つけることができる。さらに、各把手部３２６，３２７は前壁部３２１よりも前側に突出していることにより、ユーザーは前側からでも引出本体３２を引き出しやすい。したがって、引出し３０の操作性を向上させることができる。
【００５３】
また、本実施形態１では、各コーナーフレーム１１、特に前側のコーナーフレーム１１が外側に向かって開放されたＬ字状をなしていることにより、図７に示すように、指入れ空間３２８が広くなっている。すなわち、各コーナーフレーム１１うち前側に位置する２つのコーナーフレーム１１は、指入れ空間３２８を広げるべく後側に向かってそれぞれ凹むように、外側に開放されたＬ字状の横断面をそれぞれ有している。これにより、指入れ空間３２８が広くなるため、ユーザーが引き出し操作をしやすくなり、引出し３０の操作性をより向上させることができる。
【００５４】
さらに、本実施形態１では、前側のコーナーフレーム１１が外側に向かって開放されたＬ字状をなしていることにより、図７に示すように、工具棚１に対して、ユーザーが前側に位置した状態で、指入れ空間３２８に指Ｆを入れる際に、前側のコーナーフレーム１１の後面部が、ユーザーの指Ｆを指入れ空間３２８に案内するガイドになる。また、ユーザーが指入れ空間３２８に指Ｆを入れた後は、前側のコーナーフレーム１１の側面部が、ユーザーが左側及び右側把手部３２６，３２７（図７では、左側把手部３２６のみを示す）を掴んで手前に引く際のガイドになる。このため、ユーザーが一層引き出し操作をしやすくなり、引出し３０の操作性を一層向上させることができる。
【００５５】
また、本実施形態１では、引出し３０は、引出本体３２が載置するアンダーレール３６を備えているため、把手部３２６，３２７を前壁部３２１の左右の両端部に設けたとしても、レールがこじれる可能性が低い。この結果、ユーザーがより一層引き出し操作をしやすくなり、引出し３０の操作性をより一層向上させることができる。
【００５６】
（実施形態２）
以下、実施形態２について、図面を参照しながら詳細に説明する。尚、以下の説明において実施形態１と共通の部分については、同じ符号を付して、その詳細な説明を省略する。
【００５７】
図１０は、実施形態２に係る工具棚２０１の棚ユニット２００の１つ分の構成を示す。この工具棚２０１は、本実施形態１と同様に、筐体としてのフレームユニット２１０に工具を収納するため収納部２３１を有する引出し２３０を取り付けた状態で使用される。以下の説明では、引出し２３０の収納部３１を構成する引出本体２３２が引き出される側を前側といい、引出本体２３２が押し込まれる側を後側という。また、後側から前側を見たときの左側を左側といい、右側を右側という。
【００５８】
実施形態２のフレームユニット２１０は、上記実施形態１のフレームユニットを、第１の連結フレームが上下方向に延びるように配置した形状をなしており、上記実施形態１のフレームユニットと比べて上下方向に長くかつ左右方向に短い。具体的には、フレームユニット２１０は、互いに平行に左右方向に延びかつコーナー部分に位置する４つのコーナーフレーム２１１を有する。フレームユニット２１０は、図１０に示すように、上下方向に相隣接するコーナーフレーム２１１同士を、左右方向の一端側同士及び他端側同士でそれぞれ連結するように延びる二対の第１の連結フレーム２１２を有する。フレームユニット２１０は、図３に示すように、前後方向に相隣接するコーナーフレーム２１１同士を、左右方向の一端側同士及び他端側同士でそれぞれ連結するように延びる二対の第２の連結フレーム２１３を有する。
【００５９】
各コーナーフレーム２１１、各第１の連結フレーム２１２、及び、各第２の連結フレーム２１３の構成は、基本的には、上記実施形態１に係る工具棚のフレームユニット２１０における各フレームの構成に対して、上下方向と左右方向とを入れ替えたものである。すなわち、第１の連結フレーム２１２の第１の平行部は、上下方向に沿って平行に延びる平行部であり、第１の連結フレーム２１２の第１の傾斜部については、相対的に前側に位置する第１の連結フレーム２１２は、上側に位置する第１の傾斜部は上側に向かって前側に傾斜する一方、下側に位置する第１の傾斜部は下側に向かって前側に傾斜している。一方で、相対的に後側に位置する第１の連結フレーム２１２は、上側に位置する第１の傾斜部は左側に向かって後側に傾斜する一方、下側に位置する第１の傾斜部は下側に向かって後側に傾斜している。
【００６０】
第１の連結フレーム２１２が、上記のような第１の平行部と第１の傾斜部とを備えることにより、フレームユニット２１０の前側端部が後側に向かって凹んだような形状になっている。
【００６１】
本実施形態２では、各第１の連結フレーム２１２の平行部には、図１０に示すように、引出し２３０を、収納部２３１に工具を収納可能状態で支持するための複数（本実施形態２では、それぞれ１１個）の支持部２４２がそれぞれ設けられている。支持部２４２は上下方向に等間隔に並んで形成されている。本実施形態では、支持部２４２は、ボルトが挿通される挿通孔で構成されている。
【００６２】
支持部２４２を構成する挿通孔は、図１２に示すように、上記実施形態１の支持部４１と同様に、上記外側の孔の径が、上記内側の孔の径よりも大きくなるように設定されている。具体的には、上記内側の孔の径は、支持部２４２に挿通されるボルト２５０の軸部よりも大きくかつ頭部よりも小さい径である一方、上記外側の孔の径は、ボルト２５０の頭部よりも大きい径である。
【００６３】
引出し２３０は、左右方向の幅が小さいこと以外は、上記実施形態１と同じ構成である。すなわち、引出２３０は、収納部２３１を有する引出本体２３２と、左右の第１のフレーム２１２にそれぞれ取り付けられる左右一対の引出用フレーム２３３と、側板の後側に溶接等により接合される背面板２３４と、左右の引出用フレーム２３３の下端部にそれぞれ固定されかつ引出本体２３２を下側から支持するアンダーレール２３６と、引出本体２３２が引き込まれた状態で、最も上側に位置する収納部３１の内部が上方から見えないようにするための天板２３５とを有する。また、左側の引出用フレーム２３３には、引出本体３２の前後方向のスライド動作を禁止するためのロック機構２３７が設けられている。
【００６４】
引出本体２３２は、本実施形態２でも、上方が開放された箱状をなしている。引出本体２３２は、図１２に示すように、前壁部２３２１と、該前壁部２３２１と対向して後側に設けられた後壁部２３２２と、前壁部２３２１と後壁部２３２２とを左側端部同士及び右側端部同士でそれぞれ上下方向に連結させる側壁部２３２３と、引出本体２３２の底を形成する底壁部とを有している。各壁部は互いに溶接により接合されている。また、側壁部２３２３の前側端部には、図１２に示すように、左側の側壁部２３２３の内面と右側の側壁部２３２３の内面とを連結する補強部材２３２５が設けられている。補強部材２３２５は、引出本体２３２が変形しないように補強するための部材である。補強部材３２５と、左右の側壁部２３２３と、後壁部２３２２と、上記底壁部によって、工具が収納される収納空間２３１が形成されている。
【００６５】
本実施形態２でも、引出本体２３２の前壁部２３２１の左側端部及び右側端部には、引出本体３２を引き出し操作する際にユーザーが指をかける左側及び右側把手部２３２６，２３２７がそれぞれ設けられている。本実施形態２でも、上記実施形態１のときと同様に、左側及び右側把手部２３２６，２３２７は、前壁部２３２１よりも前側に突出する前側突部２３２６ａ，２３２７ａと、該前側突部２３２６ａ，２３２７ａから、左側把手部２３２６では左側に、右側把手部２３２７では右側にそれぞれ延びかつユーザーが指をかける指かけ部２３２６ｂ，２３２６ｂとを有する。
【００６６】
図１１に示すように、左右の指かけ部２３２６ｂ，２３２７ｂは、それぞれ、工具棚２０１（棚ユニット２０２）を前側から見たときには、左側及び右側把手部２３２６，２３２７が、フレームユニット１０、詳しくは、第１の連結フレーム２１２と重複する程度に左右方向にそれぞれ延びている。これにより、左側及び右側把手部２３２６，２３２７とフレームユニット２１０の前側端部との間、詳しくは、左側及び右側把手部２３２６，２３２７と第１の連結フレーム２１１との間には、引出本体３２を引き出し操作する際にユーザーが指を挿入する指入れ空間２３２８が形成される。
【００６７】
より具体的には、図１１に示すように、工具棚２０１を前側から見たときには、左側及び右側把手部２３２６，２３２７の各指かけ部２３２６ｂ，２３２６ｂは、第１の連結フレーム２１２の第１の傾斜部２１２ｂ又は第１の平行部２１２ａと重複している。前側の第１の連結フレーム２１２における、第１の平行部２１２ａ及び第１の傾斜部２１２ｂの位置は、後側に向かって凹んだような形状になっていて、これにより、指入れ空間２３２８が広くなっている。すなわち、各第１の連結フレーム２１１うち前側に位置する２つの第１のフレーム２１２は、指入れ空間２３２８を広げるべく後側に向かってそれぞれ凹んでいる。
【００６８】
本実施形態２の構成でも、把手部２３２６，２３２７が引出本体２３２の前壁部２３２１の左側端部及び右側端部にそれぞれ設けられているため、ユーザーが工具棚２０１の左側又は右側に位置しているときであっても、該ユーザーは工具棚２０１の前側に立ち直すことなく、引出し２３０から引出本体２３２を引き出して、収納部２３１内の工具を取り出すことができる。また、各把手部２３２６，２３２７は前壁部２３２１よりも前側に突出しているため、ユーザーが工具棚２０１に対して前側寄りに位置しているときであっても、該ユーザーは把手部２３２６，２３２７の位置をすぐに見つけることができる。したがって、引出し２３０の操作性を向上させることができる。
【００６９】
（その他の実施形態）
本発明は、上記実施形態に限られるものではなく、請求の範囲の主旨を逸脱しない範囲で代用が可能である。
【００７０】
例えば、上述の実施形態では、フレームユニット１０，２１０では、複数の金属製のフレームが、直方体のような形状をなすように配置されていたが、これに限らず、複数の金属製のフレームが、立方体のような形状をなすように配置されていてもよい。
【００７１】
また、上述の実施形態２では、第１の連結フレーム２１２の第１の平行部に支持部２４２が設けられていたが、これに限らず、第１の連結フレーム２１２とは別に、支持部２４２を形成するための支持フレームが設けられていてもよい。
【００７２】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００７３】
本発明は、工具を収納するための収納部を有する引出しを備えた工具棚として有用である。
【符号の説明】
【００７４】
１，２０１      工具棚
１０，２０１    フレームユニット
１１，２１１    コーナーフレーム
１２，２１２    第１の連結フレーム
１３，２１３    第２の連結フレーム
３０，２３０    引出し
３１，２３１    収納部
３２，２３２    引出本体
３５，２３５    アンダーレール
３２１，２３２１  前壁部
３２６，２３２６  左側把手部
３２６ａ，２３２６ａ  前突部
３２６ｂ，２３２６ｂ  指かけ部
３２７，２３２７  右側把手部
３２７ａ，２３２７ａ  前突部
３２７ｂ，２３２７ｂ  指かけ部
３２８，２３２８  指入れ空間
【図１】
2020023017.tif 000003
【図２】
2020023017.tif 000004
【図３】
2020023017.tif 000005
【図４】
2020023017.tif 000006
【図５】
2020023017.tif 000007
【図６】
2020023017.tif 000008
【図７】
2020023017.tif 000009
【図８】
2020023017.tif 000010
【図９】
2020023017.tif 000011
【図１０】
2020023017.tif 000012
【図１１】
2020023017.tif 000013
【図１２】
2020023017.tif 000014